(57)【要約】ネットワークを介してホストコンピュータに接続されるファン支援型タイルを使用するコンピュータデータセンターにおいてバランスのとれた気流を供給するための技術。実施例においては、このことは、温度センサ及び気流センサ、並びにネットワークアドレスを供給するためのプログラマブルスイッチを含むファンタイルを、コンピュータデータセンターの高くなった床及び天井の多数の位置に配置することによって達成される。更に、実施例では、ネットワークを介してホストコンピュータにファンタイルを接続し、温度センサ及び気流センサから得られたフィードバックに基づいてファンタイルを制御することで、コンピュータデータセンターにおいて適応的気流バランスをとって熱管理ができるようにすることを含んでいる。【選択図】図１
2008538406.tif 000002
【特許請求の範囲】
【請求項１】
熱発生或いは気流に影響を受けやすい構成要素を有する部屋のための環境管理システムであって、
ファン支援型タイルのアレイと、
それぞれのファン支援型タイルに接続されたファンコントローラと、
データネットワークを介してそれぞれのファンコントローラに接続され，前記部屋内の環境特性に基づいて感知されたデータを受け取り、それぞれのファンコントローラへと制御信号を出力することで、それぞれのファン支援型タイルのファンが、前記部屋内の適応的気流バランスをとれるようにする、熱サーバとを含む、
ことを特徴とする環境管理システム。
【請求項２】
それぞれのファン支援型タイルに関連した複数のセンサを更に含み、前記複数のセンサは前記リモートサーバに接続され、前記複数のセンサは前記部屋内の環境特性を感知し、感知したデータを出力する、
ことを特徴とする請求項１に記載の環境管理システム。
【請求項３】
前記感知されたデータは、気流、温度、湿度及び粒子密度から成る群から選択された環境特性に基づいたデータを含んでいる、
ことを特徴とする請求項２に記載の環境管理システム。
【請求項４】
前記感知されたデータは、前記部屋内へ流入する及び前記部屋内から流出する空気の環境特性を含んでいる、
ことを特徴とする請求項３に記載の環境管理システム。
【請求項５】
前記熱サーバは、前記データネットワークによって通信することが可能なより遠隔のコンピュータプログラムである、
ことを特徴とする請求項１に記載の環境管理システム。
【請求項６】
前記熱サーバは、前記部屋内へ流入する及び前記部屋外へ流出する空気の環境特性を変化させるための前記ファンを制御するため前記制御信号を出力する、
ことを特徴とする請求項１に記載の環境管理システム。
【請求項７】
熱発生構成要素を有する部屋のための環境管理システムであって、
気流を感知するセンサを有し、前記部屋内へ気流を向ける複数のファン支援型タイルの第一のアレイと、
温度を感知するセンサを有し、前記部屋から外へ気流を向ける複数のファン支援型タイルの第二のアレイと、
データネットワークを介して前記複数のファン支援型タイルに接続され、前記センサから感知された気流データ及び温度データを受け取り、前記第一のアレイ内及び前記第二のアレイ内のそれぞれのファン支援型タイルのファンの速度を変化させる制御信号を出力する、リモートサーバとを含む、
ことを特徴とするシステム。
【請求項８】
前記第一のアレイ内のそれぞれのファンの前記ファン速度は、前記ファンに流入する空気の感知された気流に基づく、
ことを特徴とする請求項７に記載のシステム。
【請求項９】
それぞれのファンの前記速度は、感知された気流に基づく前記部屋内の適応的熱バランスをとるための前記制御信号に基づいて変化する、
ことを特徴とする請求項８に記載のシステム。
【請求項１０】
前記第二のアレイ内のそれぞれのファンの前記ファン速度は、前記ファンから流出する空気の感知された温度に基づく、
ことを特徴とする請求項７に記載のシステム。
【請求項１１】
それぞれのファンの前記ファン速度は、感知された空気の温度に基づく前記部屋内の適応的熱バランスをとるための前記制御信号に基づいて変化する、
ことを特徴とする請求項１０に記載のシステム。
【請求項１２】
前記リモートサーバは、故障したファン支援型タイルの故障状態を示すための警告音を送る、
ことを特徴とする請求項７に記載のシステム。
【請求項１３】
高くなった床及び天井を含んだコンピュータデータセンターのためのネットワーク化されたファンシステムであって、
前記高くなった床に配置されたファン支援型タイルの第一のアレイであって、ここで前記第一のアレイ内のそれぞれのファン支援型タイル部が、
一つ以上のファン、
第一の制御信号を出力するための気流センサ、
一つ以上のファンの速度を変化させるためのマイクロコントローラ、
ネットワークアドレスを設定するためのプログラマブルスイッチ、及び
電源に接続可能なインターフェイス
を含む、という第一のアレイと、
前記天井に配置されたファン支援型タイルの第二のアレイであって、ここで前記第二のアレイ内のそれぞれのファン支援型タイル部は、
前記一つ以上のファン、
第二の制御信号を出力するための温度センサ、
前記一つ以上のファンの前記速度を変化させるためのマイクロコントローラ、
前記ネットワークアドレスを設定するためのプログラマブルスイッチ、及び
前記電源に接続可能なインターフェイス
を含む、という第二のアレイと、
ファン支援型タイルの前記第一のアレイ及び前記第二のアレイのそれぞれの前記インターフェイスに接続されたネットワークと、
前記ネットワークに接続可能なホストコンピュータと
を含み、
前記ホストコンピュータは、前記ネットワークを介して、前記第一のアレイ内のそれぞれのファン支援型タイル部に関連する前記ネットワークアドレスに従って前記第一の制御信号を受け取り、前記第一の制御信号に基づいた前記関連するネットワークアドレスに従って第三の命令信号を出力し、また、
前記ホストコンピュータは、前記ネットワークを介して、前記第二のアレイ内のそれぞれのファン支援型タイル部に関連する前記ネットワークアドレスに従って前記第二の制御信号を受け取り、前記第二の制御信号に基づいた前記関連するネットワークアドレスに従って第四の命令信号を出力し、また、
ファン支援型タイルの前記第一のアレイ及び前記第二のアレイのそれぞれに関連する前記マイクロコントローラは、前記ネットワークを介して、関連する前記第三の命令信号及び前記第四の命令信号を受け取り、前記コンピュータデータセンター内の適応的気流バランスをとるため、ファン支援型タイルの前記第一のアレイ及び前記第二のアレイのそれぞれに関連する一つ以上のファンの速度を変化させる、
ことを特徴とするネットワーク化されたファンシステム。
【請求項１４】
ファン支援型タイルの前記第一のアレイは、前記ファン部が動作しているとき、空気が前記コンピュータデータセンター内に向けられるように配置される、
ことを特徴とする請求項１３に記載のネットワーク化されたファンシステム。
【請求項１５】
ファン支援型タイルの前記第二のアレイは、空気が前記コンピュータデータセンターから外へ向けられるように配置される、
ことを特徴とする請求項１３に記載のネットワーク化されたファンシステム。
【請求項１６】
前記インターフェイスは、それぞれのインターフェイスを前記電源及び前記ネットワークへと接続する数珠繋ぎに連結可能な接続を含む、
ことを特徴とする請求項１３に記載のネットワーク化されたファンシステム。
【請求項１７】
それぞれのファン支援型タイル部は、複数の通路を有するシート金属タイルを含み、前記シート金属タイルは更に、前側面及び後側面を有し、また、前記一つ以上のファンは前記シート金属タイルの前記後側面へ付けられ、また、前記前側面は前記高くなった床或いは前記天井に配置するために使われる、
ことを特徴とする請求項１３に記載のネットワーク化されたファンシステム。
【請求項１８】
部屋の高くなった床或いは天井に配置するために用いられるファンタイルと、
前記ファンタイルに付けられた一つ以上のファンと、
前記一つ以上のファンに接続され、ネットワークを介してホストコンピュータに接続可能なファンコントローラと
を含み、
前記ファンコントローラは、環境特性を感知して、ネットワークアドレスに従って第一の制御信号を出力し、また、
前記ファンコントローラは、前記ネットワークを介して前記ホストコンピュータからネットワークアドレスに従って第二の制御信号を受け取り、また、
前記第二の制御信号は前記第一の制御信号に基づいており、また、
前記ファンコントローラは、前記部屋内の適応的気流バランスをとるために前記第二の制御信号に基づいて前記一つ以上のファンの前記速度を変化させる、
ことを特徴とするファン部。
【請求項１９】
前記ファンコントローラは、
前記一つ以上のファンに接続された電力コントローラと、
前記ネットワークアドレスを設定するために前記電力コントローラに接続されたプログラマブルスイッチと、
前記電力コントローラに接続され、前記ホストコンピュータに前記ネットワークを介して接続可能であるインターフェイスと、
前記一つ以上のファンが動作しているとき、前記部屋内に流入する前記気流或いは前記部屋から外へ流出する前記空気の温度を感知し、前記感知された温度或いは気流に基づいて前記第一の制御信号を出力するため、前記インターフェイスを介して前記ホストコンピュータに接続可能なセンサと
を含み、
前記電力コントローラは前記第一の制御信号に基づいて前記ホストコンピュータから前記第二の制御信号を受け取り、また、
前記電力コントローラは、前記第二の制御信号に基づいて適応的気流バランスをとることを供給するため前記一つ以上のファンの速度を変化させる、
ことを特徴とする請求項１８に記載のファン部。
【請求項２０】
前記ファンタイルはシート金属タイルを含む、
ことを特徴とする請求項１９に記載のファン部。
【請求項２１】
前記一つ以上のファンは一つ以上の軸型或いは放射状のファンである、
ことを特徴とする請求項１９に記載のファン部。
【請求項２２】
前記センサは、温度センサ、湿度センサ、気流センサ、及び粒子密度センサから成る群から選択される、
ことを特徴とする請求項１９に記載のファン部。
【請求項２３】
コンピュータデータセンターのための遠隔制御されるファン支援型タイル部であって、
コンピュータデータセンターの高くなった床或いは天井内に配置されるよう用いられるファンタイルと、
前記ファンタイルに接続され、作動時には前記コンピュータデータセンターの適応的気流バランスを取ることを促進する、一つ以上のファンと、
ネットワークを介してホストコンピュータに接続可能であり、前記一つ以上のファンに接続されたファンコントローラと、
を含み、前記ファンコントローラは更に、
マイクロコントローラと、
特有の識別子を設定するため前記マイクロコントローラに接続されたプログラマブルスイッチと、
前記一つ以上のファンが動作しているとき流出する、或いは流入する環境特性を感知し、前記感知された環境特性に基づいて前記特有の識別子に従って第一の制御信号を出力するよう、接続可能なセンサと、
を含み、ここで、
前記マイクロコントローラは、前記第一の制御信号及び前記特有の識別子に基づいて前記ホストコンピュータから第二の制御信号を受け取り、また、
前記マイクロコントローラは、前記第二の制御信号及び前記特有の識別子に基づいて適応的気流バランスをとるために前記一つ以上のファンを制御する、
ことを特徴とするファン支援型タイル部。
【請求項２４】
前記センサは、温度センサ、気流センサ、湿度センサ及び粒子密度センサから成る群から選択される、
ことを特徴とする請求項２３に記載のファン支援型タイル部。
【請求項２５】
前記第一の制御信号は、温度データ及び気流データから成る群から選択されるデータを含む、
ことを特徴とする請求項２３に記載のファン支援型タイル部。
【請求項２６】
前記第二の制御信号は、１分間あたりの回転数（ｒｐｍ）データを含む、
ことを特徴とする請求項２３に記載のファン支援型タイル部。
【請求項２７】
インターフェイスを更に含み、前記インターフェイスは他のファン部と数珠繋ぎに連結するため、ネットワークインターフェイス及び電力線インターフェイスを含む、
ことを特徴とする請求項２４に記載のファン支援型タイル部。
【請求項２８】
前記ネットワークインターフェイスはシリアル通信インターフェイスを含む、
ことを特徴とする請求項２７に記載のファン支援型タイル部。
【請求項２９】
故障したファン支援型タイル部を示すための指示器を更に含み、前記指示器は、光及び警告音から成る群から選択されるデバイスを含む、
ことを特徴とする請求項２３に記載のファン支援型タイル部。
【請求項３０】
コンピュータデータセンターの高くなった床或いは天井内に配置するために用いられ、前側面及び後側面を有し、更に複数の通路を有する、ファンタイルと、
作動時に前記複数の通路を介して空気が通るよう、前記ファンタイルの前記後側面へ付けられた、一つ以上のファンと、
前記一つ以上のファンに接続されたファンコントローラと
を含み、前記ファンコントローラは更に、
前記一つ以上のファンに接続された電力コントローラと、
前記ファン部に特有のネットワークアドレスを設定するため前記電力コントローラに接続されたプログラマブルスイッチと、
前記電力コントローラに接続されたインターフェイスと、
流出或いは流入する環境特性を感知し、第一の制御信号を出力する前記インターフェイスを介してホストコンピュータに接続可能なセンサと、
を含み、ここで、
前記電力コントローラは、前記第一の制御信号に基づいて前記ホストコンピュータから第二の制御信号を受け取るため、前記インターフェイスを介して前記ホストコンピュータに接続可能であり、また、
前記電力コントローラは前記第二の制御信号及び前記ネットワークアドレスの受け取りに基づいて前記コンピュータデータセンター内の適応的気流バランスをとることを供給するため、前記一つ以上のファンの速度を変化させる、
ことを特徴とするファン支援型タイル部。
【請求項３１】
前記ファンタイルはシート金属タイルを含む、
ことを特徴とする請求項３０に記載のファン支援型タイル部。
【請求項３２】
前記センサは、温度センサ、気流センサ、湿度センサ、及び粒子密度センサから成る群から選択される、
ことを特徴とする請求項３０に記載のファン支援型タイル部。
【請求項３３】
前記インターフェイスは、他のファン支援型タイルと数珠繋ぎに連結されうるようネットワークインターフェイス及び電力インターフェイスを含む、
ことを特徴とする請求項３０に記載のファン支援型タイル部。
【請求項３４】
故障したファン支援型タイル部を示す指示器を更に含む、
ことを特徴とする請求項３０に記載のファン支援型タイル部。
【請求項３５】
熱発生構成要素を有する部屋内の適応的気流バランスをとることを供給するためのシステムであって、
前記部屋内へ空気を移動させる手段と、
前記部屋外へ空気を移動させる手段と、
前記部屋内の適応的気流を供給するため、前記部屋内へ空気を移動させる前記手段及び前記部屋外へ空気を移動させる前記手段を制御する手段と、を含む、
ことを特徴とする、システム。
【請求項３６】
前記部屋はコンピュータデータセンターを含む、
ことを特徴とする請求項３５に記載のシステム。
【請求項３７】
前記部屋内へ空気を移動させる前記手段及び前記部屋外へ空気を移動させる前記手段は、ファン支援型タイルを含む、
ことを特徴とする請求項３５に記載のシステム。
【請求項３８】
故障したファン支援型タイル部を示す手段を更に含む、
ことを特徴とする請求項３５に記載のシステム。
【請求項３９】
熱発生構成要素を有する部屋の適応的熱管理を供給するための方法であって、
前記部屋内の感知された環境特性に基づいてリモートサーバによって制御されるファン支援型タイルのアレイを使用することによって、前記部屋内の適応的気流バランスをとるステップを含む、
ことを特徴とする、方法。
【請求項４０】
前記感知された環境特性は、
前記部屋内へ流入する及び前記部屋外へ流出する空気の環境特性を感知するステップを含んでいる、
ことを特徴とする請求項３９に記載の方法。
【請求項４１】
環境特性を感知する前記ステップは、
気流、温度、湿度、及び粒子密度から成る群から選択される環境特性を感知するステップを含む、
ことを特徴とする請求項４０に記載の方法。
【請求項４２】
部屋内の高くなった床及び天井にそれぞれ配置されるファン支援型タイルの第一のアレイ及び第二のアレイから流出する空気及び流入する空気の環境特性を感知するステップと、
前記部屋内の適応的気流バランスをとるためネットワークを介してリモートコンピュータを使用して、前記環境特性に基づいてそれぞれのファン支援型タイルを制御するステップと、を含む、
ことを特徴とする方法。
【請求項４３】
環境特性を感知するステップは、
ファン支援型タイルの前記第一のアレイのそれぞれから流入する気流を感知するステップと、
ファン支援型タイルの前記第二のアレイのそれぞれに流出する空気の温度を感知するステップと、を更に含む、
ことを特徴とする請求項４２に記載の方法。
【請求項４４】
前記環境特性に基づいてそれぞれのファン支援型タイルを制御するステップは、
前記感知された環境特性に基づいて、それぞれのファン支援型タイル部によって、前記リモートコンピュータへと、第一の制御信号及び関連するネットワークアドレスを出力するステップと、
それぞれのファン支援型タイル部によって、第二の制御信号及び前記関連するネットワークアドレスを受け取るステップと、
前記部屋内の適応的気流バランスをとるため、前記受け取られた第二の制御信号及び前記関連するネットワークアドレスに基づいて、それぞれのファン支援型タイル部を制御するステップと、を更に含む、
ことを特徴とする請求項４２に記載の方法。
【請求項４５】
前記部屋はコンピュータデータセンターである、
ことを特徴とする請求項４２に記載の方法。
【請求項４６】
前記第一のアレイ及び前記第二のアレイ内のそれぞれのファン支援型タイルの動作状態を感知するステップと、
前記ファン支援型タイルのそれぞれの前記状態を感知する前記ステップに基づいて、故障したファン支援型タイルに関連する指示器を点灯すること或いは警告音を送ることによって、前記ファン支援型タイルの故障状態を示すこと、を更に含む、
ことを特徴とする請求項４２に記載の方法。
【請求項４７】
熱発生構成要素を有する部屋のための非集中化した熱管理システムであって、
ファン支援型タイルのアレイと、
それぞれのファン支援型タイルに接続されたファンコントローラと、
前記部屋内の適応的気流バランスをとるためにそれぞれのファンコントローラへ命令を送るため、データネットワークを介してそれぞれのファンコントローラに接続された熱サーバと、
を含み、ここで、
それぞれのファンコントローラは、前記部屋内の必要とされる適応的気流バランスをとることを達成するため、前記受け取られた命令に基づいてそれぞれの関連するファン支援型タイルを制御する、
ことを特徴とする、熱管理システム。
【請求項４８】
それぞれのファン支援型タイルに関連する複数のセンサを更に含み、前記複数のセンサは、前記ファンコントローラに接続され、また、前記複数のセンサは前記部屋内の環境特性を感知し、感知されたデータを出力する、
ことを特徴とする請求項４７記載の環境管理システム。
【請求項４９】
前記感知されたデータは、気流、温度、湿度及び粒子密度から成る群から選択された環境特性に基づいたデータを含む、
ことを特徴とする請求項４８記載の環境管理システム。
【請求項５０】
熱発生構成要素を有する部屋のための分散型環境管理制御システムであって、
ファン支援型タイルのアレイと、
それぞれのファン支援型タイルに接続されたファンコントローラと、
それぞれのファン支援型タイルに関連し、前記ファンコントローラに接続され、前記部屋内の環境特性を感知して感知されたデータを出力する、複数のセンサと、
それぞれのファンコントローラを監視するため、データネットワークを介して、それぞれのファンコントローラに接続された熱サーバと
を含み、ここで、
それぞれのファンコントローラは、前記部屋内の適応的気流バランスをとることを達成するために前記データネットワークを介して接続された関連する複数のセンサ及び他の複数のセンサから受け取る感知されたデータに基づいてそれぞれの関連するファン支援型タイルを制御し、また、
前記熱サーバはそれぞれのファン支援型タイルの状態の状況を出力する、
ことを特徴とする、環境管理制御システム。
【請求項５１】
前記感知されたデータは、気流、温度、湿度及び粒子密度から成る群から選択された環境特性に基づいたデータを含む、
ことを特徴とする請求項５０記載の環境管理システム。
【請求項５２】
部屋のための環境管理システムであって、
複数のファン支援型タイルと、
前記部屋の周囲に配置された複数の温度センサと、
前記ファン支援型タイル及び前記複数の温度センサに接続するネットワークと、
前記ネットワークに接続され、前記複数の温度センサから感知された温度データを受け取り、ファン支援型タイルへ制御信号を出力して、前記部屋内の適応的温度制御を供給する、コントローラと
を含むことを特徴とするシステム。
【請求項５３】
前記ネットワークはワイヤレスネットワークである、
ことを特徴とする請求項５２記載のシステム。
【請求項５４】
前記コントローラは、前記部屋の温度マップを生成する、
ことを特徴とする請求項５２記載のシステム。
【請求項５５】
前記コントローラは望まれないイベントの温度兆候における傾向を同定する、
ことを特徴とする請求項５２記載のシステム。
【請求項５６】
前記望まれないイベントは、冷却の失敗からの望まれない熱上昇、或いはファン支援型タイルの故障を含む、
ことを特徴とする請求項５５記載のシステム。
【請求項５７】
前記部屋の周辺に配置された、空気の入口及び出口となる複数の孔を更に含む、
ことを特徴とする請求項５２記載のシステム。
【請求項５８】
前記複数の孔は、前記ファン支援型タイルに組み入れられている、
ことを特徴とする請求項５７記載のシステム。
【請求項５９】
前記複数の孔は、前記ネットワークに接続され、前記複数の孔を介して気流を制御するため、前記コントローラによって制御可能である、
ことを特徴とする請求項５７記載のシステム。
【請求項６０】
前記複数の孔は、前記部屋内の温度を管理するために制御される、
ことを特徴とする請求項５８記載のシステム。
【請求項６１】
部屋のための環境管理システムであって、
前記部屋の周囲に配置された複数の孔と、
前記部屋の周囲に分散した複数の温度センサと、
前記孔及び温度センサに接続するネットワークと、を含み、
前記ネットワークに接続されたコントローラは、前記温度センサから感知された温度データを受け取り、前記孔を介して気流を制御することによって前記部屋内の適応的温度制御を供給するために前記孔へ制御信号を出力する、
ことを特徴とする部屋のための環境管理システム。
【発明の詳細な説明】
【技術分野】
【０００１】
本発明は、一般的には部屋の環境管理に関し、より詳細には、コンピュータデータセンターの熱管理及び／或いは気流管理に関する。
【背景技術】
【０００２】
コンピュータデータセンターは、典型的には、それぞれが多数のコンピューティングユニットを有する何千ものラックを含んでいる。コンピューティングユニットは、多数のマイクロプロセッサを含み、それぞれが約２５０Ｗの電力を消費する。このようなコンピューティングユニットを含むラックからの熱の発散は、１０ＫＷを超えうる。今日のコンピュータデータセンターは、３００００平方フィート以上を占め約１０００のラックを有し、コンピューティングインフラストラクチャーのために約１０ＭＷの電力を必要としうる。将来の１０万平方フィートのコンピュータデータセンターは、コンピューティングインフラストラクチャーのために５０ＭＷの電力を必要としうる。この熱の発散に費やされるエネルギーは、更に２０ＭＷとなりうる。１０万平方フィートの世界的規模のコンピュータデータセンターは、５０００もの１０ＫＷのラックを有し、サーバを動かすためだけで一年につき約４４００万ドル（１００ドル／ＭＷｈとして）がかかり、コンピュータデータセンターのための冷却インフラストラクチャーを動かすために一年につき約１８００万ドルがかかりうる。
【０００３】
ラック及びファンが適切にレイアウトされるように冷却設計を考慮することで、エネルギーが大幅に節約できる。一般的に、高い電力密度のコンピュータデータセンターにおける冷却設計は非常に複雑である。コンピュータデータセンター内のすべての地点が均一の気流を受けて動作効率及び冷却性能が改善されるように、コンピュータデータセンターにおいてバランスの取れた気流を得るには、今日の直感的な空気分配では、十分ではない。
【０００４】
加えて、多くのコンピュータデータセンターは急いで計画されて実施されるため、必要な設備は慌しい計画の下で急いで据え付けねばならない。このようにするとたいていは高くなった床の上にわりと無計画なレイアウトがされてしまい、環境温度の不均衡によって悲惨な影響を受けかねない。不運にも、こうした計画性のなさが孕む危険性は、信頼性に深刻な問題が起こるまでは明らかにならない。更に、通信傾向、設備の変化及び追加、塞がれたフィルタ、故障したファンなどによるコンピュータデータセンターのいかなる変化も熱的な負荷分布に影響を与え、同様にコンピュータデータセンターのバランスの取れた気流に影響を与えうる。
【発明の開示】
【０００５】
本発明は、コンピュータデータセンターのような多数の熱発生構成要素を有する部屋内でバランスの取れた気流を供給するための技術を提供する。一つの実施例において、本技術は、コンピュータデータセンターのための動的な気流バランスを保つこと、及び熱管理を供給する。これは、データネットワークを介してホストコンピュータと接続されているコンピュータデータセンターの天井及び高くなった床の様々な位置に多数のファンタイルを配置することによって実現される。天井及び高くなった床に配置されネットワーク化されたそれぞれのファンタイルは、コンピュータデータセンター内のバランスの取れた気流を達成するために、流入する気流及び流出する空気の温度のそれぞれの感知に基づいてホストコンピュータによって制御される。
【発明を実施するための最良の形態】
【０００６】
本主題は、部屋内のバランスの取れた気流或いは熱／温度制御のような、部屋の環境制御を供給するための技術を提供する。このような環境制御は部屋の設備の適切な操作に決定的であろう。半導体及び製薬用のクリーンルームのような部屋は、熱的な影響は受けづらいものの、気流については封じ込め或いは粒子制御にとって重大であるため、要件が生じうる。コンピュータの構成要素のような熱発生設備は、適切に操作するために冷却される必要がある。この技術によって、更にコンピュータデータセンターのための動的な気流のバランスをとること及び熱管理も可能となる。
【０００７】
この後の本発明に係る実施例の詳細な説明においては、本明細書の一部を構成する添付図面を用い、本発明が実施できる特定の実施例を説明する。これらの実施例は、本技術分野において熟練した者が本発明を実施可能なように十分に詳細に記述される。また、他の実施例を利用できるということ、及び本発明の目的から離れることなく変形例を構成できることを理解されたい。ゆえに、この後の詳細な説明は制限する意図でなされるものではなく、本発明の範囲は付加されたクレームによってのみ定義される。“熱サーバ”、“ホストコンピュータ”、“リモートサーバ”及び“リモートコンピュータ”という用語は、本文書全体にわたり互換できるものとして使用される。加えて、“電力コントローラ”、及び“マイクロコントローラ”という語も、本文書全体にわたり互換できるものとして使用され、ファンタイル部における一つ以上のファンの速度を変化させるために使用される手段のことを指す。
【０００８】
図１において、本主題に係る熱管理システム１００の実施例が示されている。熱管理システム１００は、部屋１０５の高くなった床１４０内に配置された、ファン支援型タイル１３０の第一のアレイ１１０、及び部屋１０５の天井１５０に配置された、ファン支援型タイル１３０の第二のアレイ１２０を含んでいる。部屋１０５は、熱発生構成要素１９５を含むコンピュータデータセンターでありうる。
【０００９】
図１に示されるように、それぞれのファン支援型タイル１３０は、部屋１０５へと流入し排出される空気のための複数の通路１６２を含んでいる。更に図１に示されるように、それぞれのファン支援型タイル１３０は、部屋１０５の天井１５０及び／或いは高くなった床１４０に配置するために用いられるファンタイル１３５に接続できる。ある実施例においては、ファンタイル１３５は、シート金属タイルによって作られる。これらの実施例においては、シート金属タイルは、前側面１６５及び後側面１７８を有する。一つ以上のファン１７２が、シート金属タイルの後側面１７８へと付けられる。シート金属タイルの前側面１６５は、部屋１０５の高くなった床１４０及び／或いは天井１５０に配置されるよう適応可能である。
【００１０】
これも図１に示されるように、熱管理システム１００は電源１７５、データネットワーク１８０、及びリモート熱サーバ１９０を含んでいる。熱サーバ１９０は、ホストコンピュータ、リモートサーバ、リモートコンピュータ、リモートサーバ、プロセッサ、及び部屋１０５の熱管理を容易にするような他のプロセッサでありうる。熱サーバ１９０は、データネットワーク１８０によって通信が可能な遠隔のプログラムであってもよい。図１に示されるように、それぞれのファン支援型タイル１３０は、一つ以上のファン１７２、電力コントローラ１８６、及びインターフェイス１７０を含んでいる。図１に示された実施例においては、それぞれの電力コントローラ１８６は、インターフェイス１７０を介して電源１７５に接続されている。加えて、図１に示されるように、それぞれのファン支援型タイル１３０は、インターフェイス１７０を介してデータネットワーク１８０によって熱サーバ１９０に接続されている。インターフェイス１７０は、シリアル通信インターフェイスのようなネットワークインターフェイスでありうる。
【００１１】
ネットワークは、ネットワーク内のそれぞれのデバイスが多くのワイヤレスプロトコルのうちの一つを実行するトランシーバとともにインターフェイス１７０を有する、ワイヤレスネットワークでもよい。ある実施例においては、センサはトランシーバを有するか、或いは送信機のみを有し、温度、気流のような感知されたパラメータの典型的な情報を送る。
【００１２】
これらの実施例においては、空気が、方向を示す矢印１５２で示されるように部屋１０５内へと向かうように、ファン支援型タイル１３０の第一のアレイ１１０は、高くなった床１４０に配置される。空気が、方向を示す矢印１５７で示されるように部屋１０５から外へ向かうように、ファン支援型タイル１３０の第二のアレイ１２０は、天井１５０に配置される。操作において、熱管理システム１００は、部屋１０５内の適応的気流バランスをとるため、矢印１５２、１５５及び１５７で示される方向へと、通路１６２を介して部屋１０５内で空気を移動させる。
【００１３】
これも図１に示されるように、気流センサ１８４がファン支援型タイル１３０の第一のアレイ１１０におけるそれぞれの電力コントローラ１８６に接続される。更に、図１は、ファン支援型タイル１３０の第二のアレイ１２０において、それぞれの電力コントローラ１８６へ接続された温度センサ１８２を示している。
【００１４】
図１は、部屋１０５のような環境の適応的制御のための、集中型制御システムの一例を示している。この実施例における集中型制御は、ネットワーク１８０によってファン支援型タイル１３０と通信する、熱サーバ１９０を介して達成される。この実施例においては、熱サーバ１９０は、気流及び温度のようなセンサ情報を受け取り、ファンの速度及びファン支援型タイル１３０を操作するために必要な他の命令のような必要な作動パラメータを計算する。計算された作動パラメータは、続いて、部屋１０５内での適応的制御を供給するため、ネットワーク１８０を介してそれぞれのファン支援型タイル１３０へと送られる。
【００１５】
更なる実施例においては、温度センサ１９９のネットワークが、部屋の至る所に分散して配置され、熱サーバ１９０へと温度情報を供給する。一実施例においては、温度センサは部屋の温度マップを供給する。マップの細部或いは粗さは、温度センサの数、密度、及び配置に依存する。このようなセンサは、特別な熱の必要性を有する影響を受けやすい設備の近く、或いは部屋の天井に均一に、或いは他の所望な場所など、部屋のいかなる場所に配置されてもよい。一実施例における熱サーバは、温度情報を監視し、傾向を監視できる。傾向の監視は、望まない熱上昇或いは冷却機能の低下の兆候であると知られているような温度の傾向を確認するために使用されてもよい。このような傾向或いはデータのパターンは学習され、或いは、データの歴史的な解析及び望まれないイベントに関連するパターンの同定に基づいて操作者によってあらかじめプログラムされる。
【００１６】
一実施例においては、冷却タイルは制御可能な入口の孔及び出口の孔を含んでいる。その孔は、冷却タイル通路１６２の一部として、気流のより良い制御を供給するためタイルを介して熱サーバ１９０によって制御されてもよいし、或いは、命令を受け取り、任意で熱サーバへと直接データを供給する個別のネットワーク化されたデバイスであってもよい。このような例においては、孔は部屋のいかなるところにあってもよく、タイルから独立していてもよい。熱サーバは、温度センサのネットワークから温度を監視し、部屋の温度を管理するために孔を制御してもよい。
【００１７】
図２においては、図１に示されたファン支援型タイル１３０の一実施例が示されている。例えば、図２に示されるように、ファン支援型タイル１３０は、一つ以上のファン１７２に接続されたファンコントローラ２１０を含んでいる。一つ以上のファン１７２は、一つ以上の軸型ファン及び／或いは放射状のファンでありうる。
【００１８】
図２に示されるように、ファンコントローラ２１０は、プロセッサ２２０、電力コントローラ１８６、ＤＩＰスイッチ２３０、センサ２４０、及び、他のファン支援型タイル１３０を数珠繋ぎに連結するための入力インターフェイス及び出力インターフェイス２８０を含んでいる。更に、図１に示されるように、センサ２４０は、温度センサ１８２、気流センサ１８４或いは環境の特性を感知するのに適切な他のセンサであってもよい。また、センサ２４０により、適応的気流バランスをとること及び部屋１０５の熱管理が容易になる。ある実施例においては、センサ２４０は、部屋１０５内に流入する及び外へ流出する空気の湿度を感知する湿度センサでありうる。
【００１９】
ＤＩＰスイッチ２３０は、それぞれのファン支援型タイル１３０に特有のＩＰアドレスのような、ネットワークアドレスの設定を容易にする。ＤＩＰスイッチ２３０は、８ビット或いはそれ以上のＤＩＰスイッチでありうる。ＤＩＰスイッチ２３０は、プログラマブルスイッチ或いはネットワークアドレス或いは特有の識別子を設定するのに適切なものでもありうる。図２に示されるように、ファン支援型タイル１３０は、インターフェイス２７０及び２８０を利用して電力及びネットワーク接続を数珠繋ぎに連結することによって他のファン支援型タイルと接続される。例えば、図２において、電力線２５０及びネットワーク線２６０が分離して示されている。ネットワーク線２６０は、ＲＳ４８５の８ビットアドレス指定可能な接続或いはシリアル通信インターフェイスでありうる。
【００２０】
作動時には、一実施例においては、それぞれの温度センサ１８２及び気流センサ１８４が、流出する空気の温度及び流入する気流をそれぞれ感知し、プロセッサ２２０が感知された温度及び気流に基づいて、関連するネットワークアドレスに従って、第一の制御信号を出力する。第一の制御信号は、温度データ、気流データ、及び／或いは、部屋１０５の適応的気流バランスをとること或いは熱管理を容易にするような他のどんなデータでもありうる。
【００２１】
ある実施例においては、それぞれの温度センサ１８２が、部屋１０５から流出する温度を感知し、プロセッサ２２０が第一の制御信号を出力し、それぞれの気流センサ１８４が流入する気流を感知し、第二の制御信号を出力する。これらの実施例においては、熱サーバ１９０は、出力された第一及び第二の制御信号にそれぞれ基づいて、第三及び第四の制御信号を出力する。これらの実施例においても、データネットワーク１８０を介して熱サーバ１９０から受け取った第三及び第四の制御信号に基づいて、それぞれのファンコントローラ２１０は、第一のアレイ１１０及び第二のアレイ１２０内の関連するそれぞれのファン支援型タイル１３０の、一つ以上のファン１７２のファン速度を変化させる。
【００２２】
熱サーバ１９０は、データネットワーク１８０を介して、それぞれの温度及び気流センサ１８２及び１８４から、関連するネットワークアドレスに従って出力された第一の制御信号を受け取り、それぞれの温度センサ１８２及び及び気流センサ１８４から受け取られた第一の制御信号及び関連するネットワークアドレスに基づいて、関連するネットワークアドレスに従って第二の制御信号を出力する。
【００２３】
熱サーバ１９０は、受け取ったネットワークアドレスに基づいて、ファン支援型タイル１３０の関連するファンコントローラ２１０へと、データネットワーク１８０を介して関連するネットワークアドレスに従って、それぞれの出力された第二の制御信号を送る。それぞれのファン支援型タイル１３０のファンコントローラ２１０は、データネットワーク１８０を介して熱サーバ１９０から受け取られた制御信号に基づいて一つ以上のファン１７２を制御する。
【００２４】
ある実施例においては、第二の制御信号は１分間あたりの回転数（ｒｐｍ）或いは一つ以上のファン１７２の速度の制御を援助しうるような他のデータである。ある実施例においては、マイクロコントローラ２１０は、受け取られた関連する第一の制御信号に基づいて、第一のアレイ１１０内のそれぞれのファン支援型タイル１３０の一つ以上のファン１７２の速度を制御する。ここで第一の制御信号は、関連する気流センサ１８４から受け取られた気流データに基づきうる。これらの実施例においても、ファンコントローラ２１０は受け取った関連する第二の制御信号に基づいて、第二のアレイ１２０内のそれぞれのファン支援型タイル１３０の一つ以上のファン１７２のファン速度を制御する。ここで第二の制御信号は、部屋１０５内の適応的な気流バランスをとること及び／或いは熱管理を供給するための、関連する温度センサ１８２から受け取られた温度データでありうる。
【００２５】
更に、図１は、天井１５０及び／或いは高くなった床１４０における、それぞれのファン支援型タイル１３０の故障状態（操作中にファン支援型タイルが故障したこと）を示すための、部屋１０５内に配置された指示器１９２を示している。指示器１９２は、光及び／或いは警告音でありうる。操作中に関連するファン支援型タイル１３０のいずれかが故障したとき、光が点灯する及び／或いは警告音が発生する。指示器１９２はファンコントローラ２１０に接続され、次にデータネットワーク１８０を介して熱サーバ１９０と接続されうる。ファンコントローラ２１０は、第一及び第二のアレイ１１０及び１２０内に配置されたそれぞれのファン支援型タイル１３０の状態を監視するための（示されていない）センサをも含みうる。操作においては、センサは第五の制御信号を熱サーバ１９０に対して送りうる。熱サーバ１９０は送られた第五の制御信号を監視し、第六の制御信号をファンコントローラ２１０へと出力する。ファンコントローラ２１０は、受け取られた第六の制御信号に基づいて、それぞれの第一及び第二のアレイ１１０及び１２０内のファン支援型タイル１３０の故障状態を示す。
【００２６】
上述された技術は、熱サーバ１９０のようなコントローラがファン支援型タイル１３０及びデータネットワーク１３０を介して接続されたほかのデバイスのようなリモートデバイスへの操作決定のほとんどを下すような、非集中化した制御環境においての使用についても想定されている。これらの実施例においては、熱サーバ１９０を与えられた気流或いは温度を達成するためにあるレベルで作動させたい際に、それぞれのファン支援型タイル１３０へと命令を送る。ファンの速度及び他の命令のような操作パラメータに関する決定は、それぞれのファン支援型タイル１３０によって局所的になされる。これらの実施例においては、熱サーバ１９０によって実施される制御機能の一部は、部屋１０５内の適応的制御を達成するためにそれぞれのファン支援型タイル１３０へと切替えられる。
【００２７】
加えて、上述された技術は、それぞれのファン支援型タイル１３０或いは他のいずれかのデバイスがデータネットワーク１８０を介して接続されたほかのファン支援型タイル１３０或いはデバイスと通信しうるような、分散型制御環境において実行されうることもまた予想されうる。これらの実施例においてもまた、それぞれのファン支援型タイル１３０は、部屋１０５内の適応的制御を達成するためにそれらのファンの速度を制御する自身の操作パラメータを計算しうる。これらの実施例においては、熱サーバ１９０は、適切に作動するため、ファン支援型タイル及びネットワーク１８０を介して接続された他のデバイスを監視し、進行者及び／或いは操作者へとこれらのデバイスのそれぞれの状態を報告するために基本的には使用される。それぞれ上述された構造、すなわち非集中化した制御システム、及び分散型制御システムの利点は、システムの性能を高めるためにデータネットワーク１８０によって送られる通信量を相当に減少させうるということである。
【００２８】
図３において、本発明に係る方法３００の実施例が示されている。３１０において、本実施例の方法３００は、部屋に流入する気流を感知する。３２０において、方法３００は更に流出する空気の温度を感知する。この実施例においては、ファン支援型タイルの第一のアレイから流入する気流、及びファン支援型タイルの第二のアレイから流出する空気の温度が感知される。
【００２９】
３３０において、第一の制御信号が感知された気流及び温度に基づいて出力される。ある実施例においては、３３０において、第一の制御信号に従ってそれぞれのファン支援型タイルに関連するネットワークアドレスが３３０において出力される。３４０において、第二の制御信号が第一の制御信号に基づいて出力される。ある実施例においては、３４０において、制御されることになるファン支援型タイルに関連するネットワークアドレスに従って、第二の制御信号が出力される。
【００３０】
３５０において、第一及び第二のアレイ内のそれぞれのファン支援型タイルの一つ以上のファン１７２のファン速度が、部屋内の適応的気流のバランスをとるために第二の制御信号に基づいて制御される。ある実施例においては、方法３００は、それぞれのファン支援型タイルの状態の感知及びそれぞれのファン支援型タイルの状態の感知に基づいた故障状態の指示を含みうる。これらの実施例においては、ファン支援型タイルの故障状態は、故障したファン支援型タイルに関連する指示器を点灯すること或いは警告音を送ることによって示されうる。
【００３１】
上記の方法、ブロック３１０−３５０は、通信の傾向、構成要素の変化及び追加、塞がれたフィルタ、故障したファンなどの部屋内の変化に適応するため、適応的気流バランスをとることを維持し、ファンの速度を変化させることによって部屋内の熱管理を行うべく、自身を繰り返す。部屋は熱発生構成要素を含むコンピュータデータセンターでありうる。
【００３２】
この方法３００は、典型的な実施例において連続的に配置されたブロック３１０−３５０を含んでいるが、この内容の他の実施例は、複数のプロセッサ、或いは二つ以上の仮想機械又はサブプロセッサを構成する単一のプロセッサを使用して、並行して二つ以上のブロックを実施してもよい。更に、他の実施例は、アプリケーションに特有な集積回路の一部として、或いはモジュールを介して及びモジュールの間で通信される関連する制御及びデータ信号とともに、二つ以上の特定の相互連結されたハードウェアモジュールとしてブロックを実施してもよい。このように、典型的なプロセスフロー図はソフトウェア、ファームウェア、及び／或いはハードウェア手段に対して適用可能である。
【００３３】
ここに述べられているファン部、システム及び方法の様々な実施例は、一般的にコンピュータデータセンター内の適応的気流バランスをとること及び熱管理を達成するために用いることができる。加えて、上述された技術は、コンピュータデータセンター内の全ての位置において均一な気流を供給して、コンピュータデータセンターの動作効率及び冷却性能を改善するのに役立つ。更に、上述された技術によって、熱的な負荷分布が変化するコンピュータデータセンターにおいて、適応的な気流バランスをとることができる。更に、上述された技術は、操作可能な熱的なバランスを達成した後に、安定状態の状況を監視し、通信傾向、塞がれたフィルタ、故障したファンにおける時間依存性の変化、及び他のバランスの取れた気流を供給するための変化による熱的な変化を補償し続ける。
【００３４】
上記の記述は、例示を意図するものであり、限定するものではない。他の多くの実施例は、この分野に精通した者にとって明らかであろう。本発明の範囲は、ゆえに、付随する請求項を、その均等物の全範囲を以って解釈したものに従って、決定されるべきである。
【図面の簡単な説明】
【００３５】
【図１】図１は、本主題に係る多数のファン支援型タイルを含むコンピュータデータセンターの一実施例の横からの立面概要図である。
【図２】図２は、本主題に係る図１に示されたファン支援型タイルのブロック図である。
【図３】図３は、本主題の一実施例どおりの、部屋内の適応性気流バランスをとる方法を示すフローチャートである。
【図１】
2008538406.tif 000003
【図２】
2008538406.tif 000004
【図３】
2008538406.tif 000005
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
熱発生或いは気流に影響を受けやすい構成要素を有する部屋のための環境管理システムであって、
ファン支援型タイルのアレイと、
それぞれのファン支援型タイルに接続されたファンコントローラと、
データネットワークを介してそれぞれのファンコントローラに接続され，前記部屋内の環境特性に基づいて感知されたデータを受け取り、それぞれのファンコントローラへと制御信号を出力することで、それぞれのファン支援型タイルのファンが、前記部屋内の適応的気流バランスをとれるようにする、熱サーバとを含む、
ことを特徴とする環境管理システム。
【請求項２】
それぞれのファン支援型タイルに関連した複数のセンサを更に含み、前記複数のセンサは前記リモートサーバに接続され、前記複数のセンサは前記部屋内の環境特性を感知し、感知したデータを出力する、
ことを特徴とする請求項１に記載の環境管理システム。
【請求項３】
前記感知されたデータは、気流、温度、湿度及び粒子密度から成る群から選択された環境特性に基づいたデータを含んでいる、
ことを特徴とする請求項２に記載の環境管理システム。
【請求項４】
前記感知されたデータは、前記部屋内へ流入する及び前記部屋内から流出する空気の環境特性を含んでいる、
ことを特徴とする請求項３に記載の環境管理システム。
【請求項５】
前記熱サーバは、前記データネットワークによって通信することが可能なより遠隔のコンピュータプログラムである、
ことを特徴とする請求項１に記載の環境管理システム。
【請求項６】
前記熱サーバは、前記部屋内へ流入する及び前記部屋外へ流出する空気の環境特性を変化させるための前記ファンを制御するため前記制御信号を出力する、
ことを特徴とする請求項１に記載の環境管理システム。
【請求項７】
熱発生構成要素を有する部屋のための環境管理システムであって、
気流を感知するセンサを有し、前記部屋内へ気流を向ける複数のファン支援型タイルの第一のアレイと、
温度を感知するセンサを有し、前記部屋から外へ気流を向ける複数のファン支援型タイルの第二のアレイと、
データネットワークを介して前記複数のファン支援型タイルに接続され、前記センサから感知された気流データ及び温度データを受け取り、前記第一のアレイ内及び前記第二のアレイ内のそれぞれのファン支援型タイルのファンの速度を変化させる制御信号を出力する、リモートサーバとを含む、
ことを特徴とするシステム。
【請求項８】
前記第一のアレイ内のそれぞれのファンの前記ファン速度は、前記ファンに流入する空気の感知された気流に基づく、
ことを特徴とする請求項７に記載のシステム。
【請求項９】
それぞれのファンの前記速度は、感知された気流に基づく前記部屋内の適応的熱バランスをとるための前記制御信号に基づいて変化する、
ことを特徴とする請求項８に記載のシステム。
【請求項１０】
前記第二のアレイ内のそれぞれのファンの前記ファン速度は、前記ファンから流出する空気の感知された温度に基づく、
ことを特徴とする請求項７に記載のシステム。
【請求項１１】
それぞれのファンの前記ファン速度は、感知された空気の温度に基づく前記部屋内の適応的熱バランスをとるための前記制御信号に基づいて変化する、
ことを特徴とする請求項１０に記載のシステム。
【請求項１２】
前記リモートサーバは、故障したファン支援型タイルの故障状態を示すための警告音を送る、
ことを特徴とする請求項７に記載のシステム。
【請求項１３】
高くなった床及び天井を含んだコンピュータデータセンターのためのネットワーク化されたファンシステムであって、
前記高くなった床に配置されたファン支援型タイルの第一のアレイであって、ここで前記第一のアレイ内のそれぞれのファン支援型タイル部が、
一つ以上のファン、
第一の制御信号を出力するための気流センサ、
一つ以上のファンの速度を変化させるためのマイクロコントローラ、
ネットワークアドレスを設定するためのプログラマブルスイッチ、及び
電源に接続可能なインターフェイス
を含む、という第一のアレイと、
前記天井に配置されたファン支援型タイルの第二のアレイであって、ここで前記第二のアレイ内のそれぞれのファン支援型タイル部は、
前記一つ以上のファン、
第二の制御信号を出力するための温度センサ、
前記一つ以上のファンの前記速度を変化させるためのマイクロコントローラ、
前記ネットワークアドレスを設定するためのプログラマブルスイッチ、及び
前記電源に接続可能なインターフェイス
を含む、という第二のアレイと、
ファン支援型タイルの前記第一のアレイ及び前記第二のアレイのそれぞれの前記インターフェイスに接続されたネットワークと、
前記ネットワークに接続可能なホストコンピュータと
を含み、
前記ホストコンピュータは、前記ネットワークを介して、前記第一のアレイ内のそれぞれのファン支援型タイル部に関連する前記ネットワークアドレスに従って前記第一の制御信号を受け取り、前記第一の制御信号に基づいた前記関連するネットワークアドレスに従って第三の命令信号を出力し、また、
前記ホストコンピュータは、前記ネットワークを介して、前記第二のアレイ内のそれぞれのファン支援型タイル部に関連する前記ネットワークアドレスに従って前記第二の制御信号を受け取り、前記第二の制御信号に基づいた前記関連するネットワークアドレスに従って第四の命令信号を出力し、また、
ファン支援型タイルの前記第一のアレイ及び前記第二のアレイのそれぞれに関連する前記マイクロコントローラは、前記ネットワークを介して、関連する前記第三の命令信号及び前記第四の命令信号を受け取り、前記コンピュータデータセンター内の適応的気流バランスをとるため、ファン支援型タイルの前記第一のアレイ及び前記第二のアレイのそれぞれに関連する一つ以上のファンの速度を変化させる、
ことを特徴とするネットワーク化されたファンシステム。
【請求項１４】
ファン支援型タイルの前記第一のアレイは、前記ファン部が動作しているとき、空気が前記コンピュータデータセンター内に向けられるように配置される、
ことを特徴とする請求項１３に記載のネットワーク化されたファンシステム。
【請求項１５】
ファン支援型タイルの前記第二のアレイは、空気が前記コンピュータデータセンターから外へ向けられるように配置される、
ことを特徴とする請求項１３に記載のネットワーク化されたファンシステム。
【請求項１６】
前記インターフェイスは、それぞれのインターフェイスを前記電源及び前記ネットワークへと接続する数珠繋ぎに連結可能な接続を含む、
ことを特徴とする請求項１３に記載のネットワーク化されたファンシステム。
【請求項１７】
それぞれのファン支援型タイル部は、複数の通路を有するシート金属タイルを含み、前記シート金属タイルは更に、前側面及び後側面を有し、また、前記一つ以上のファンは前記シート金属タイルの前記後側面へ付けられ、また、前記前側面は前記高くなった床或いは前記天井に配置するために使われる、
ことを特徴とする請求項１３に記載のネットワーク化されたファンシステム。
【請求項１８】
部屋の高くなった床或いは天井に配置するために用いられるファンタイルと、
前記ファンタイルに付けられた一つ以上のファンと、
前記一つ以上のファンに接続され、ネットワークを介してホストコンピュータに接続可能なファンコントローラと
を含み、
前記ファンコントローラは、環境特性を感知して、ネットワークアドレスに従って第一の制御信号を出力し、また、
前記ファンコントローラは、前記ネットワークを介して前記ホストコンピュータからネットワークアドレスに従って第二の制御信号を受け取り、また、
前記第二の制御信号は前記第一の制御信号に基づいており、また、
前記ファンコントローラは、前記部屋内の適応的気流バランスをとるために前記第二の制御信号に基づいて前記一つ以上のファンの前記速度を変化させる、
ことを特徴とするファン部。
【請求項１９】
前記ファンコントローラは、
前記一つ以上のファンに接続された電力コントローラと、
前記ネットワークアドレスを設定するために前記電力コントローラに接続されたプログラマブルスイッチと、
前記電力コントローラに接続され、前記ホストコンピュータに前記ネットワークを介して接続可能であるインターフェイスと、
前記一つ以上のファンが動作しているとき、前記部屋内に流入する前記気流或いは前記部屋から外へ流出する前記空気の温度を感知し、前記感知された温度或いは気流に基づいて前記第一の制御信号を出力するため、前記インターフェイスを介して前記ホストコンピュータに接続可能なセンサと
を含み、
前記電力コントローラは前記第一の制御信号に基づいて前記ホストコンピュータから前記第二の制御信号を受け取り、また、
前記電力コントローラは、前記第二の制御信号に基づいて適応的気流バランスをとることを供給するため前記一つ以上のファンの速度を変化させる、
ことを特徴とする請求項１８に記載のファン部。
【請求項２０】
前記ファンタイルはシート金属タイルを含む、
ことを特徴とする請求項１９に記載のファン部。
【請求項２１】
前記一つ以上のファンは一つ以上の軸型或いは放射状のファンである、
ことを特徴とする請求項１９に記載のファン部。
【請求項２２】
前記センサは、温度センサ、湿度センサ、気流センサ、及び粒子密度センサから成る群から選択される、
ことを特徴とする請求項１９に記載のファン部。
【請求項２３】
コンピュータデータセンターのための遠隔制御されるファン支援型タイル部であって、
コンピュータデータセンターの高くなった床或いは天井内に配置されるよう用いられるファンタイルと、
前記ファンタイルに接続され、作動時には前記コンピュータデータセンターの適応的気流バランスを取ることを促進する、一つ以上のファンと、
ネットワークを介してホストコンピュータに接続可能であり、前記一つ以上のファンに接続されたファンコントローラと、
を含み、前記ファンコントローラは更に、
マイクロコントローラと、
特有の識別子を設定するため前記マイクロコントローラに接続されたプログラマブルスイッチと、
前記一つ以上のファンが動作しているとき流出する、或いは流入する環境特性を感知し、前記感知された環境特性に基づいて前記特有の識別子に従って第一の制御信号を出力するよう、接続可能なセンサと、
を含み、ここで、
前記マイクロコントローラは、前記第一の制御信号及び前記特有の識別子に基づいて前記ホストコンピュータから第二の制御信号を受け取り、また、
前記マイクロコントローラは、前記第二の制御信号及び前記特有の識別子に基づいて適応的気流バランスをとるために前記一つ以上のファンを制御する、
ことを特徴とするファン支援型タイル部。
【請求項２４】
前記センサは、温度センサ、気流センサ、湿度センサ及び粒子密度センサから成る群から選択される、
ことを特徴とする請求項２３に記載のファン支援型タイル部。
【請求項２５】
前記第一の制御信号は、温度データ及び気流データから成る群から選択されるデータを含む、
ことを特徴とする請求項２３に記載のファン支援型タイル部。
【請求項２６】
前記第二の制御信号は、１分間あたりの回転数（ｒｐｍ）データを含む、
ことを特徴とする請求項２３に記載のファン支援型タイル部。
【請求項２７】
インターフェイスを更に含み、前記インターフェイスは他のファン部と数珠繋ぎに連結するため、ネットワークインターフェイス及び電力線インターフェイスを含む、
ことを特徴とする請求項２４に記載のファン支援型タイル部。
【請求項２８】
前記ネットワークインターフェイスはシリアル通信インターフェイスを含む、
ことを特徴とする請求項２７に記載のファン支援型タイル部。
【請求項２９】
故障したファン支援型タイル部を示すための指示器を更に含み、前記指示器は、光及び警告音から成る群から選択されるデバイスを含む、
ことを特徴とする請求項２３に記載のファン支援型タイル部。
【請求項３０】
コンピュータデータセンターの高くなった床或いは天井内に配置するために用いられ、前側面及び後側面を有し、更に複数の通路を有する、ファンタイルと、
作動時に前記複数の通路を介して空気が通るよう、前記ファンタイルの前記後側面へ付けられた、一つ以上のファンと、
前記一つ以上のファンに接続されたファンコントローラと
を含み、前記ファンコントローラは更に、
前記一つ以上のファンに接続された電力コントローラと、
前記ファン部に特有のネットワークアドレスを設定するため前記電力コントローラに接続されたプログラマブルスイッチと、
前記電力コントローラに接続されたインターフェイスと、
流出或いは流入する環境特性を感知し、第一の制御信号を出力する前記インターフェイスを介してホストコンピュータに接続可能なセンサと、
を含み、ここで、
前記電力コントローラは、前記第一の制御信号に基づいて前記ホストコンピュータから第二の制御信号を受け取るため、前記インターフェイスを介して前記ホストコンピュータに接続可能であり、また、
前記電力コントローラは前記第二の制御信号及び前記ネットワークアドレスの受け取りに基づいて前記コンピュータデータセンター内の適応的気流バランスをとることを供給するため、前記一つ以上のファンの速度を変化させる、
ことを特徴とするファン支援型タイル部。
【請求項３１】
前記ファンタイルはシート金属タイルを含む、
ことを特徴とする請求項３０に記載のファン支援型タイル部。
【請求項３２】
前記センサは、温度センサ、気流センサ、湿度センサ、及び粒子密度センサから成る群から選択される、
ことを特徴とする請求項３０に記載のファン支援型タイル部。
【請求項３３】
前記インターフェイスは、他のファン支援型タイルと数珠繋ぎに連結されうるようネットワークインターフェイス及び電力インターフェイスを含む、
ことを特徴とする請求項３０に記載のファン支援型タイル部。
【請求項３４】
故障したファン支援型タイル部を示す指示器を更に含む、
ことを特徴とする請求項３０に記載のファン支援型タイル部。
【請求項３５】
熱発生構成要素を有する部屋内の適応的気流バランスをとることを供給するためのシステムであって、
前記部屋内へ空気を移動させる手段と、
前記部屋外へ空気を移動させる手段と、
前記部屋内の適応的気流を供給するため、前記部屋内へ空気を移動させる前記手段及び前記部屋外へ空気を移動させる前記手段を制御する手段と、を含む、
ことを特徴とする、システム。
【請求項３６】
前記部屋はコンピュータデータセンターを含む、
ことを特徴とする請求項３５に記載のシステム。
【請求項３７】
前記部屋内へ空気を移動させる前記手段及び前記部屋外へ空気を移動させる前記手段は、ファン支援型タイルを含む、
ことを特徴とする請求項３５に記載のシステム。
【請求項３８】
故障したファン支援型タイル部を示す手段を更に含む、
ことを特徴とする請求項３５に記載のシステム。
【請求項３９】
熱発生構成要素を有する部屋の適応的熱管理を供給するための方法であって、
前記部屋内の感知された環境特性に基づいてリモートサーバによって制御されるファン支援型タイルのアレイを使用することによって、前記部屋内の適応的気流バランスをとるステップを含む、
ことを特徴とする、方法。
【請求項４０】
前記感知された環境特性は、
前記部屋内へ流入する及び前記部屋外へ流出する空気の環境特性を感知するステップを含んでいる、
ことを特徴とする請求項３９に記載の方法。
【請求項４１】
環境特性を感知する前記ステップは、
気流、温度、湿度、及び粒子密度から成る群から選択される環境特性を感知するステップを含む、
ことを特徴とする請求項４０に記載の方法。
【請求項４２】
部屋内の高くなった床及び天井にそれぞれ配置されるファン支援型タイルの第一のアレイ及び第二のアレイから流出する空気及び流入する空気の環境特性を感知するステップと、
前記部屋内の適応的気流バランスをとるためネットワークを介してリモートコンピュータを使用して、前記環境特性に基づいてそれぞれのファン支援型タイルを制御するステップと、を含む、
ことを特徴とする方法。
【請求項４３】
環境特性を感知するステップは、
ファン支援型タイルの前記第一のアレイのそれぞれから流入する気流を感知するステップと、
ファン支援型タイルの前記第二のアレイのそれぞれに流出する空気の温度を感知するステップと、を更に含む、
ことを特徴とする請求項４２に記載の方法。
【請求項４４】
前記環境特性に基づいてそれぞれのファン支援型タイルを制御するステップは、
前記感知された環境特性に基づいて、それぞれのファン支援型タイル部によって、前記リモートコンピュータへと、第一の制御信号及び関連するネットワークアドレスを出力するステップと、
それぞれのファン支援型タイル部によって、第二の制御信号及び前記関連するネットワークアドレスを受け取るステップと、
前記部屋内の適応的気流バランスをとるため、前記受け取られた第二の制御信号及び前記関連するネットワークアドレスに基づいて、それぞれのファン支援型タイル部を制御するステップと、を更に含む、
ことを特徴とする請求項４２に記載の方法。
【請求項４５】
前記部屋はコンピュータデータセンターである、
ことを特徴とする請求項４２に記載の方法。
【請求項４６】
前記第一のアレイ及び前記第二のアレイ内のそれぞれのファン支援型タイルの動作状態を感知するステップと、
前記ファン支援型タイルのそれぞれの前記状態を感知する前記ステップに基づいて、故障したファン支援型タイルに関連する指示器を点灯すること或いは警告音を送ることによって、前記ファン支援型タイルの故障状態を示すこと、を更に含む、
ことを特徴とする請求項４２に記載の方法。
【請求項４７】
熱発生構成要素を有する部屋のための非集中化した熱管理システムであって、
ファン支援型タイルのアレイと、
それぞれのファン支援型タイルに接続されたファンコントローラと、
前記部屋内の適応的気流バランスをとるためにそれぞれのファンコントローラへ命令を送るため、データネットワークを介してそれぞれのファンコントローラに接続された熱サーバと、
を含み、ここで、
それぞれのファンコントローラは、前記部屋内の必要とされる適応的気流バランスをとることを達成するため、前記受け取られた命令に基づいてそれぞれの関連するファン支援型タイルを制御する、
ことを特徴とする、熱管理システム。
【請求項４８】
それぞれのファン支援型タイルに関連する複数のセンサを更に含み、前記複数のセンサは、前記ファンコントローラに接続され、また、前記複数のセンサは前記部屋内の環境特性を感知し、感知されたデータを出力する、
ことを特徴とする請求項４７記載の熱管理システム。
【請求項４９】
前記感知されたデータは、気流、温度、湿度及び粒子密度から成る群から選択された環境特性に基づいたデータを含む、
ことを特徴とする請求項４８記載の熱管理システム。
【請求項５０】
熱発生構成要素を有する部屋のための分散型環境管理制御システムであって、
ファン支援型タイルのアレイと、
それぞれのファン支援型タイルに接続されたファンコントローラと、
それぞれのファン支援型タイルに関連し、前記ファンコントローラに接続され、前記部屋内の環境特性を感知して感知されたデータを出力する、複数のセンサと、
それぞれのファンコントローラを監視するため、データネットワークを介して、それぞれのファンコントローラに接続された熱サーバと
を含み、ここで、
それぞれのファンコントローラは、前記部屋内の適応的気流バランスをとることを達成するために前記データネットワークを介して接続された関連する複数のセンサ及び他の複数のセンサから受け取る感知されたデータに基づいてそれぞれの関連するファン支援型タイルを制御し、また、
前記熱サーバはそれぞれのファン支援型タイルの状態の状況を出力する、
ことを特徴とする、環境管理制御システム。
【請求項５１】
前記感知されたデータは、気流、温度、湿度及び粒子密度から成る群から選択された環境特性に基づいたデータを含む、
ことを特徴とする請求項５０記載の環境管理システム。
【請求項５２】
部屋のための環境管理システムであって、
複数のファン支援型タイルと、
前記部屋の周囲に配置された複数の温度センサと、
前記ファン支援型タイル及び前記複数の温度センサに接続するネットワークと、
前記ネットワークに接続され、前記複数の温度センサから感知された温度データを受け取り、ファン支援型タイルへ制御信号を出力して、前記部屋内の適応的温度制御を供給する、コントローラと
を含むことを特徴とするシステム。
【請求項５３】
前記ネットワークはワイヤレスネットワークである、
ことを特徴とする請求項５２記載のシステム。
【請求項５４】
前記コントローラは、前記部屋の温度マップを生成する、
ことを特徴とする請求項５２記載のシステム。
【請求項５５】
前記コントローラは望まれないイベントの温度兆候における傾向を同定する、
ことを特徴とする請求項５２記載のシステム。
【請求項５６】
前記望まれないイベントは、冷却の失敗からの望まれない熱上昇、或いはファン支援型タイルの故障を含む、
ことを特徴とする請求項５５記載のシステム。
【請求項５７】
前記部屋の周辺に配置された、空気の入口及び出口となる複数の孔を更に含む、
ことを特徴とする請求項５２記載のシステム。
【請求項５８】
前記複数の孔は、前記ファン支援型タイルに組み入れられている、
ことを特徴とする請求項５７記載のシステム。
【請求項５９】
前記複数の孔は、前記ネットワークに接続され、前記複数の孔を介して気流を制御するため、前記コントローラによって制御可能である、
ことを特徴とする請求項５７記載のシステム。
【請求項６０】
前記複数の孔は、前記部屋内の温度を管理するために制御される、
ことを特徴とする請求項５８記載のシステム。
【請求項６１】
部屋のための環境管理システムであって、
前記部屋の周囲に配置された複数の孔と、
前記部屋の周囲に分散した複数の温度センサと、
前記孔及び温度センサに接続するネットワークと、を含み、
前記ネットワークに接続されたコントローラは、前記温度センサから感知された温度データを受け取り、前記孔を介して気流を制御することによって前記部屋内の適応的温度制御を供給するために前記孔へ制御信号を出力する、
ことを特徴とする部屋のための環境管理システム。
【国際調査報告】
2008538406.tif 000006
2008538406.tif 000007
2008538406.tif 000008